【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
下面（２）、上面（３）、下面および上面（２；３）の間で測定された厚さＴ、縦軸（４）、および下面（２）から上面（３）まで続く複数のプレート穴（５）を有する骨プレート（１）であって、骨プレート（１）は、下面（２）から上面（３）に向かって延在して下面（２）において縦軸（４）と平行に測定された幅Ｗを有するスロット（６）をさらに有し、
（ｉ）スロット（６）は、骨プレート（１）の厚さＴの０．４から０．９倍の、下面（２）から上面（３）まで測定された最大距離Ｄまで延在し、
（ｉｉ）スロット（６）はその最大伸長Ｅにおいて少なくとも０．１ｍｍである、縦軸（４）と平行に測定された幅を有し、
（ｉｉｉ）スロット（６）は、プレート（１）が縦方向に−スロットなしプレート（１）の内在的曲げ性を除外して−最大５°まで曲がるようにする
ことを特徴とし、
（ｉｖ）下面（２）の長さは、幅Ｗが０に等しくなるように、骨プレート（１）の下面（２）においてスロット（６）の閉鎖時に最大１ｍｍ短くなる、
骨プレート（１）。
【請求項２】
スロット（６）が、０．１から１．３ｍｍの範囲内の幅Ｗを有することを特徴とする、請求項１に記載の骨プレート（１）。
【請求項３】
骨プレート（１）が、骨プレート（１）の上面（３）に隣接する骨プレート（１）の上部部分にしっかりと接続された材料部（１８）を備え、材料部（１８）は下面（２）まで延在し、これによりスロット（６）を横切り、材料部（１８）は、下面（２）から上面（３）に向かって延在して空隙Ｃを有する空洞（１７）内に着座していることを特徴とする、請求項１または２に記載の骨プレート（１）。
【請求項４】
材料部（１８）がボルト（１６）であること、および空洞（１７）が、ボルト（１６）に対応する形状を有することを特徴とする、請求項３に記載の骨プレート（１）。
【請求項５】
スロット（６）の幅Ｗが０．２０ｍｍより大きいことを特徴とする、請求項１から４のいずれか一項に記載の骨プレート（１）。
【請求項６】
スロット（６）の幅Ｗが０．３５ｍｍより小さいことを特徴とする、請求項１から５のいずれか一項に記載の骨プレート（１）。
【請求項７】
スロット（６）が、骨プレート（１）の下面（２）から垂直に測定して最低２ｍｍの垂直高さにわたって幅Ｗを呈することを特徴とする、請求項１から６のいずれか一項に記載の骨プレート（１）。
【請求項８】
下面（２）が骨表面に接触するように設計されていることを特徴とする、請求項１から７のいずれか一項に記載の骨プレート（１）。
【請求項９】
骨プレート（１）が６ｍｍから１２ｍｍの範囲内の厚さを有することを特徴とする、請求項１から８のいずれか一項に記載の骨プレート（１）。
【請求項１０】
骨プレート（１）が、８ｍｍから１０ｍｍの範囲内の厚さを有することを特徴とする、請求項９に記載の骨プレート（１）。
【請求項１１】
骨プレート（１）が、４ｍｍから７ｍｍの範囲内の厚さを有することを特徴とする、請求項１から８のいずれか一項に記載の骨プレート（１）。
【請求項１２】
骨プレート（１）が、スロット（６）の位置の下面（２）で縦軸に対して垂直に測定された、１４ｍｍから２２ｍｍの範囲内の幅を有することを特徴とする、請求項１から１１のいずれか一項に記載の骨プレート（１）。
【請求項１３】
スロット（６）が、プレート（１）が縦方向に少なくとも１．０°まで曲がるようにすることを特徴とする、請求項１から１２のいずれか一項に記載の骨プレート（１）。
【請求項１４】
スロット（６）が、プレート（１）が縦方向に、−スロットなしプレート（１）の内在的曲げ性を除外して、−最大５°まで曲がるようにすることを特徴とする、請求項１から１３のいずれか一項に記載の骨プレート（１）。
【請求項１５】
骨プレート（１）の下面（２）からのずれを１０ｍｍから３０ｍｍとしてプレート（１）の縦軸（４）と基本的に平行に作用する、５０から４００Ｎの範囲内の力が、幅Ｗが０に等しくなるように骨プレート（１）の下面（２）においてスロット（６）を閉鎖するのに十分であることを特徴とする、請求項１から１４のいずれか一項に記載の骨プレート（１）。
【請求項１６】
スロット（６）が「Ｌ」字の形状を有し、「Ｌ」の短い棒の自由端が幅Ｗを有して下面（２）内に向かって開放しており、「Ｌ」の長い方の末端が、縦軸（４）と基本的に平行に延びており、長さＥを有することを特徴とする、請求項１から１５のいずれか一項に記載の骨プレート（１）。
【請求項１７】
スロット（６）が「Ｔ」字の形状を有し、「Ｔ」の縦棒の自由端が幅Ｗを有して下面（２）内に向かって開放しており、「Ｔ」の２つの横棒が、縦軸（４）と基本的に平行に延びており、長さＥを有することを特徴とする、請求項１から１５のいずれか一項に記載の骨プレート（１）。
【請求項１８】
スロット（６）が、骨プレート（１）の縦断面で見ると湾曲形状を有し、湾曲形状は下面（２）から上面（３）に向かって拡大していることを特徴とする、請求項１から１７のいずれか一項に記載の骨プレート（１）。
【請求項１９】
スロット（６）が、骨プレート（１）の下面（２）に対する視点でΩ形状を有し、Ω形状は、骨プレート（１）の縦軸（４）の方向に延在する対称軸を有することを特徴とする、請求項１から１７のいずれか一項に記載の骨プレート（１）。
【請求項２０】
スロット（６）が、
（ｉ）基本的にプレート厚さの方向に延びており、下面（２）内に向かって開放している、下部部分と、
（ｉｉ）縦軸（４）と基本的に平行に伸びており、上面（３）に対して閉鎖している、上部部分と、
を有することを特徴とする、請求項１から１９のいずれか一項に記載の骨プレート（１）。
【請求項２１】
プレート厚さＴおよびプレート幅が、スロット（６）からプレートの両端に向かって徐々に減少していることを特徴とする、請求項１から２０のいずれか一項に記載の骨プレート（１）。
【請求項２２】
複数のプレート穴（５）のうちの少なくとも１つが、所定の角度で角度安定係止ネジを受容するように構成されていることを特徴とする、請求項１から２１のいずれか一項に記載の骨プレート（１）。
【請求項２３】
複数のプレート穴（５）のうちの少なくとも１つが、可変角度係止ネジを受容するように構成されていることを特徴とする、請求項１から２１のいずれか一項に記載の骨プレート（１）。
【請求項２４】
プレート穴（５）が、異なる直径の骨ネジを受容するために異なるサイズを有することを特徴とする、請求項１から２３のいずれか一項に記載の骨プレート（１）。
【請求項２５】
プレートの三次元形状が、特定の解剖学的適合に合わせて予備成形されていることを特徴とする、請求項１から２４のいずれか一項に記載の骨プレート（１）。
【請求項２６】
骨プレートが、縦方向に測定して互いに５０ｍｍよりも離れた２つのスロット（６）を有することを特徴とする、請求項１から２５のいずれか一項に記載の骨プレート（１）。
【請求項２７】
骨プレートが、１つ以上のセンサを収容するために、プレート（１）の下面（２）から上面（３）に向かって延在するコンパートメントを有することを特徴とする、請求項１から２６のいずれか一項に記載の骨プレート。
【請求項２８】
骨プレートが、１つ以上のアクチュエータを収容するため、放出制御された薬品を保管するため、またはカルス成長用の空間を提供するため、プレート（１）の下面（２）から上面（３）に向かって延在するコンパートメントを有することを特徴とする、請求項１から２７のいずれか一項に記載の骨プレート。
【請求項２９】
スロット（６）の幅Ｗが基本的にスロット（６）の長さＥに等しいことを特徴とする、請求項２から２８のいずれか一項に記載の骨プレート。
【請求項３０】
骨プレート（１）が、ツーピース構造で構成されていることを特徴とする、請求項１から２９のいずれか一項に記載の骨プレート（１）。
【請求項３１】
ステンレス鋼、チタン、またはチタン合金で作られることを特徴とする、請求項１から３０のいずれか一項に記載の骨プレート。
【請求項３２】
骨折の治療用の、請求項１から３１のいずれか一項に記載の骨プレート（１）。
【請求項３３】
スロット（６）がキャビティシンキングＥＤＭによって作り出されることを特徴とする、請求項１から３２のいずれか一項に記載の骨プレートの製造方法。